(57)【要約】【課題】温度変化に対してインダクタンスの低下を抑制したリニアリティコイルを提供することを目的としている。【解決手段】軸芯１１の両端に鍔１２を有したドラム状コア１３と、このドラム状コア１３の外周表面に巻回した巻線１４と、ドラム状コア１３の軸芯１１に磁界を発生させる永久磁石と、ドラム状コア１３を上方に載置した端子台１５と、この端子台１５に植設するとともに、巻線１４と電気的接続をした端子１６とを備え、永久磁石はドラム状コア１３の下方に配置した柱状コア１７とし、永久磁石とドラム状コア１３との間には、温度変化に応じて永久磁石にバイアス磁界を発生する整磁合金からなる磁性体１８を配置している。【選択図】　図１
2004071744.tif 000002
【特許請求の範囲】
【請求項１】
軸芯の両端に鍔を有したドラム状コアと、前記ドラム状コアの外周表面に巻回した巻線と、前記ドラム状コアの軸芯に磁界を発生させる永久磁石と、前記ドラム状コアを上方に載置した端子台と、前記端子台に植設するとともに、前記巻線と電気的接続をした端子とを備え、温度変化に応じて前記永久磁石にバイアス磁界を発生する磁性体を配置したリニアリティコイル。
【請求項２】
磁性体は整磁合金からなる請求項１記載のリニアリティコイル。
【請求項３】
永久磁石は、ドラム状コアの上方または下方に配置した柱状コアとした請求項１記載のリニアリティコイル。
【請求項４】
磁性体は永久磁石の温度係数よりも小さい温度係数の材料からなる請求項１記載のリニアリティコイル。
【請求項５】
磁性体の材料はＮｄＦｅＢまたはＳｍＣｏを主成分とするとともに、永久磁石の材料はＢａまたはＳｒを主成分とした請求項４記載のリニアリティコイル。
【請求項６】
永久磁石は、ドラム状コアの外方に配置し、前記ドラム状コアの両端の鍔と対向する位置にＮ極またはＳ極を着磁したリング状コアとした請求項１記載のリニアリティコイル。
【発明の詳細な説明】
【０００１】
【発明の属する技術分野】
本発明は、各種電子機器等に用いるリニアリティコイルに関するものである。
【０００２】
【従来の技術】
以下、従来のリニアリティコイルについて図面を参照しながら説明する。
【０００３】
図６は従来のリニアリティコイルの断面図、図７は同リニアリティコイルの斜視図、図８は同リニアリティコイルの温度変化に対するインダクタンス変化を示すリニアリティコイルの特性波形図である。
【０００４】
図６、図７において、従来のリニアリティコイルは、軸芯１の両端に鍔２を有したドラム状コア３と、このドラム状コア３の外周表面に巻回した巻線４と、ドラム状コア３の軸芯１に磁界を発生させる永久磁石と、ドラム状コア３を上方に載置した端子台５と、端子台５に植設するとともに、巻線４と電気的接続をした端子６とを備えている。
【０００５】
また、永久磁石は、ドラム状コア３の外方に配置した柱状コア７としている。
【０００６】
このリニアリティコイルをテレビジョン受像機に用いた場合、温度変化に対するインダクタンス変化を示すリニアリティコイルの特性波形図は図８に示すようになる。
【０００７】
【発明が解決しようとする課題】
上記従来の構成では、温度が上昇するにつれて、インダクタンスが低下するという問題点を有していた。特に、平画面、ワイド画面、広角偏向などの大型の画面では画質に影響を及ぼす。
【０００８】
本発明は上記問題点を解決し、温度変化に対してインダクタンスの低下を抑制したリニアリティコイルを提供することを目的としている。
【０００９】
【課題を解決するための手段】
上記目的を達成するために本発明は、以下の構成を有する。
【００１０】
本発明の請求項１記載の発明は、特に、温度変化に応じて前記永久磁石にバイアス磁界を発生する磁性体を配置した構成である。
【００１１】
上記構成により、磁性体が温度変化に応じて永久磁石にバイアス磁界を発生させるので、温度変化によって永久磁石の磁力が変化してインダクタンスが低下しても、磁性体が永久磁石の減少した磁力量を補い、インダクタンスの低下を抑制できる。
【００１２】
本発明の請求項２記載の発明は、請求項１記載の発明において、特に、磁性体は整磁合金からなる構成である。
【００１３】
一般に、整磁合金は温度が上昇すると磁束の一部を空気間隙内にもどし、永久磁石の減少した磁力量を補って、空気間隙内の磁束を一定に保つ役割をする。
【００１４】
すなわち、温度変化によって永久磁石の磁力が変化してインダクタンスが低下しても、磁性体が温度変化に応じて永久磁石にバイアス磁界を発生させるので、永久磁石の減少した磁力量が補われ、インダクタンスの低下を抑制できる。
【００１５】
本発明の請求項３記載の発明は、請求項１記載の発明において、特に、永久磁石は、ドラム状コアの上方または下方に配置した柱状コアとした構成である。
【００１６】
上記構成により、請求項１記載の発明と同様の効果を得ることができる。
【００１７】
本発明の請求項４記載の発明は、請求項１記載の発明において、特に、磁性体は永久磁石の温度係数よりも小さい温度係数の材料からなる構成である。
【００１８】
一般に、温度係数が大きいほど、温度変化によって磁力量の減少率も大きいが、磁性体の温度係数は永久磁石の温度係数よりも小さい。上記構成によれば、温度変化によって永久磁石の磁力が変化してインダクタンスが低下しても、磁性体が温度変化に応じて永久磁石にバイアス磁界を発生させるので、永久磁石の減少した磁力量が補われ、インダクタンスの低下を抑制できる。
【００１９】
本発明の請求項５記載の発明は、請求項１記載の発明において、特に、磁性体の材料はＮｄＦｅＢまたはＳｍＣｏを主成分とするとともに、永久磁石の材料はＢａまたはＳｒを主成分とした構成である。
【００２０】
上記構成により、請求項４記載の発明と同様の効果を得ることができる。
【００２１】
本発明の請求項６記載の発明は、請求項１記載の発明において、特に、永久磁石は、前記ドラム状コアの外方に配置し、前記ドラム状コアの両端の鍔と対向する位置にＮ極またはＳ極を着磁したリング状コアとした構成である。
【００２２】
上記構成により、請求項１記載の発明と同様の効果を得ることができる。
【００２３】
【発明の実施の形態】
（実施の形態１）
以下、実施の形態１を用いて、本発明の請求項１〜請求項３記載の発明について図面を参照しながら説明する。
【００２４】
図１は本発明の実施の形態１におけるリニアリティコイルの断面図、図２は同リニアリティコイルの斜視図、図３は温度変化に対するインダクタンス変化を示すリニアリティコイル特性波形図である。
【００２５】
図１、図２において、本発明の実施の形態１におけるリニアリティコイルは、軸芯１１の両端に鍔１２を有したドラム状コア１３と、このドラム状コア１３の外周表面に巻回した巻線１４と、ドラム状コア１３の軸芯１１に磁芯を発生させる永久磁石と、ドラム状コア１３を上方に載置した端子台１５と、この端子台１５に植設するとともに、巻線１４と電気的接続をした端子１６とを備えている。
【００２６】
永久磁石はドラム状コア１３の外方に配置した柱状コア１７とし、永久磁石とドラム状コア１３との間には、温度変化に応じて永久磁石にバイアス磁界を発生する整磁合金からなる磁性体１８を配置している。
【００２７】
このとき、温度変化に対するインダクタンス変化を示すリニアリティコイルの特性波形図は図３に示すようになる。
【００２８】
上記構成により、温度変化によって永久磁石の磁力が変化してインダクタンスが低下しても、磁性体１８が温度変化に応じて永久磁石にバイアス磁界を発生させるので、永久磁石の減少した磁力量が補われ、インダクタンスの低下を抑制できる。
【００２９】
（実施の形態２）
以下、実施の形態２を用いて、本発明の請求項４〜請求項６記載の発明について図面を参照しながら説明する。
【００３０】
図４は本発明の実施の形態２におけるリニアリティコイルの断面図、図５は同リニアリティコイルの斜視図である。
【００３１】
本発明の実施の形態２におけるリニアリティコイルは、実施の形態１のリニアリティコイルを改良したものである。
【００３２】
図４、図５において、本発明の実施の形態２におけるリニアリティコイルは、永久磁石をドラム状コア１３の下方に配置した柱状コア１７に替えて、ドラム状コア１３の外方に配置し、ドラム状コア１３の両端の鍔１２と対向する位置にＮ極またはＳ極を着磁したリング状コアにしている。
【００３３】
また、磁性体１８は、ドラム状コア１３の上方に配置するとともに、整磁合金ではなく、永久磁石の温度係数よりも小さい温度係数の材料からなるものとしている。
【００３４】
磁性体１８の材料はＮｄＦｅＢまたはＳｍＣｏを主成分とするとともに、永久磁石の材料はＢａまたはＳｒを主成分としたものである。
【００３５】
このとき、温度変化に対するインダクタンス変化を示すリニアリティコイルの特性波形図は実施の形態１と同様な波形になる。
【００３６】
一般に、温度係数が大きいほど、温度変化によって磁力量の減少率も大きいが、磁性体１８の温度係数は永久磁石の温度係数よりも小さい。上記構成によれば、温度変化によって永久磁石の磁力が変化してインダクタンスが低下しても、磁性体１８が温度変化に応じて永久磁石にバイアス磁界を発生させるので、永久磁石の減少した磁力量が補われ、インダクタンスの低下を抑制できる。
【００３７】
【発明の効果】
以上のように本発明によれば、温度変化によって永久磁石の磁力が変化してインダクタンスが低下しても、磁性体が温度変化に応じて永久磁石にバイアス磁界を発生させるので、永久磁石の減少した磁力量が補われ、インダクタンスの低下を抑制したリニアリティコイルを提供できる。
【図面の簡単な説明】
【図１】本発明の実施の形態１におけるリニアリティコイルの断面図
【図２】同リニアリティコイルの斜視図
【図３】同リニアリティコイルの特性波形図
【図４】本発明の実施の形態２におけるリニアリティコイルの断面図
【図５】同リニアリティコイルの斜視図
【図６】従来のリニアリティコイルの断面図
【図７】同リニアリティコイルの斜視図
【図８】同リニアリティコイルの特性波形図
【符号の説明】
１１　軸芯
１２　鍔
１３　ドラム状コア
１４　巻線
１５　端子台
１６　端子
１７　柱状コア
１８　磁性体
【図１】
2004071744.tif 000003
【図２】
2004071744.tif 000004
【図３】
2004071744.tif 000005
【図４】
2004071744.tif 000006
【図５】
2004071744.tif 000007
【図６】
2004071744.tif 000008
【図７】
2004071744.tif 000009
【図８】
2004071744.tif 000010